(57)【要約】【課題】断熱性を高めることができる改装枠体を提供する。【解決手段】建物開口部に配置された既存枠体（５）に重ねて配置され、改装縦枠（２０）及び改装横枠（３０）が四方枠組みされる改装枠体（１１）であって、改装縦枠又は改装横枠の少なくとも１つの枠材は、室外側部材（２１、３１）及び室内側部材（２２、３２）を備え、室外側部材と室内側部材とはブリッジ材（２３、３３）により連結され、室外側部材又は室内側部材の少なくとも一方には、既存枠体に対向する位置に、断熱材（２５、３５）を具備する改装枠体である。【選択図】図２
2014055481.tif 000002
【特許請求の範囲】
【請求項１】
建物開口部に配置された既存枠体に重ねて配置され、改装縦枠及び改装横枠が四方枠組みされる改装枠体であって、
前記改装縦枠又は前記改装横枠の少なくとも１つの枠材は、
室外側部材及び室内側部材を備え、
前記室外側部材と前記室内側部材とはブリッジ材により連結され、
前記室外側部材又は前記室内側部材の少なくとも一方には、前記既存枠体に対向する位置に断熱材を具備する、改装枠体。
【請求項２】
前記断熱材は前記室外側部材又は前記室内側部材の少なくとも一方の見込面に配置されている請求項１に記載の改装枠体。
【請求項３】
前記断熱材は前記室内側部材の見付面よりも見込方向に突出して配置されている、請求項１又は２に記載の改装枠体。
【請求項４】
前記断熱材は前記室外側部材及び前記室内側部材の見込面に亘って配置されている請求項１乃至３のいずれか一項に記載の改装枠体。
【請求項５】
前記断熱材が発泡断熱材である請求項１乃至４のいずれか一項に記載の改装枠体。
【請求項６】
請求項１乃至５のいずれか一項に記載の改装枠体と、該改装枠体の枠内に配置される改装戸体又は改装障子と、を備える改装開口部装置。
【発明の詳細な説明】
【技術分野】
【０００１】
本発明は、建物の開口部の縁に沿って配置される改装のための枠体、及び該枠体を備える開口部装置に関する。
【背景技術】
【０００２】
住宅等の建物に新しい機能を追加したり、補修が必要となった部位を取り換えたりする、いわゆる改装（リフォーム）により、既設の建物を利用して簡易で安価に建物の性能を向上させることができる。
ドアや窓等の開口部装置の改装は、例えば特許文献１、２に記載の技術のように、既設の枠の枠内に新設の枠を取り付け、ここに戸体や障子等を取り付ける。
【先行技術文献】
【特許文献】
【０００３】
【特許文献１】特開２００８−１３３６９３号公報
【特許文献２】特開２０１１−１９６１６６号公報
【発明の開示】
【発明が解決しようとする課題】
【０００４】
省エネルギーの観点、及び寒冷地における結露対策の観点等から、近年では断熱構造を有する開口部装置が提案され、新築の建物では当初から断熱構造の開口部装置を適用することが多い。一方、既設の建物に対しては改装により、断熱構造ではない開口部装置から断熱構造の開口部装置に変更したいとの要望がある。
【０００５】
しかしながら、特許文献１、２からもわかるように、従来は断熱構造ではない既設の枠体に対して、断熱構造ではない新設の枠体を重ねるのみであり、断熱性を向上させることができる形態ではなかった。特許文献１、２には既設の枠と新設の枠との間に所定の部材を挟むように配置しているが、いずれも間隙を補充するための部材であり、断熱性を有するものではないので、既設枠と新設枠とが熱的に通じており、断熱性を高めることはできない。
【０００６】
そこで本発明は、上記問題点に鑑み、断熱性を高めることができる改装枠体を提供することを課題とする。また該改装枠体を具備する改装開口部装置を提供する。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、建物開口部に配置された既存枠体（５）に重ねて配置され、改装縦枠（２０）及び改装横枠（３０）が四方枠組みされる改装枠体（１１）であって、改装縦枠又は改装横枠の少なくとも１つの枠材は、室外側部材（２１、３１）及び室内側部材（２２、３２）を備え、室外側部材と室内側部材とはブリッジ材（２３、３３）により連結され、室外側部材又は室内側部材の少なくとも一方には、既存枠体に対向する位置に断熱材（２５、３５）を具備する、改装枠体である。
【０００９】
請求項２に記載の発明は、請求項１に記載の改装枠体（１１）において、断熱材（２５、３５）は室外側部材（２１、３１）又は室内側部材（２２、３２）の少なくとも一方の見込面に配置されている。
【００１０】
請求項３に記載の発明は、請求項１又は２に記載の改装枠体（１１）において、断熱材（２５、３５）は室内側部材（２２、３２）の見付面よりも見込方向に突出して配置されている。
【００１１】
請求項４に記載の発明は、請求項１乃至３のいずれか一項に記載の改装枠体（１１）において、断熱材（２５、３５）は室外側部材（２１、３１）及び室内側部材（２２、３２）の見込面に亘って配置されている。
【００１２】
請求項５に記載の発明は、請求項１乃至４のいずれか一項に記載の改装枠体（１１）において、断熱材（２５、３５）が発泡断熱材である。
【００１３】
請求項６に記載の発明は、請求項１乃至５のいずれか一項に記載の改装枠体（１１）と、該改装枠体の枠内に配置される改装戸体（６２）又は改装障子と、を備える改装開口部装置（１０）である。
【発明の効果】
【００１４】
本発明によれば、改装枠体自体が断熱構造であるとともに、既設枠体と改装枠体との間の熱の流通が抑制されるので、断熱性を高めることができる。
【図面の簡単な説明】
【００１５】
【図１】１つの実施形態を説明する図で、改装枠体１１を具備する改装開口部装置１０の室外側正面図である。
【図２】図１にＩＩ−ＩＩで示した線に沿った断面である。
【図３】図１にＩＩＩ−ＩＩＩで示した線に沿った断面図である。
【図４】図２の端部を拡大して示した図である。
【発明を実施するための形態】
【００１６】
本発明の上記のような作用及び利得は、次に説明する発明を実施するための形態から明らかにされる。以下本発明を図面に示す実施形態に基づき説明する。ただし、本発明はこれら実施形態に限定されるものではない。
【００１７】
図１は、１つの実施形態を説明する図で、改装枠体１１を含む改装開口部装置１０が建物に設置された場面を室外側正面から見た図である。図２は図１にＩＩ−ＩＩで示した線に沿った断面図、図３は図１にＩＩＩ−ＩＩＩで示した線に沿った断面図である。
図２、図３では断面図のうち、改装枠体１１が表れる両端部に注目して示し、その間の一部は省略している。また、図２は紙面下が室内側、紙面上が室外側、図３は紙面左が室外側、紙面右が室内側である。
ここで、各図では見易さのため、一部の部材を省略したり、部材を誇張して記載したりする等、変形して示す場合がある。
【００１８】
改装開口部装置１０は、改装枠体１１、室外側装飾枠６０、室内側装飾枠６１、及び改装戸体６２を備えている。本実施形態では改装戸体６２は、蝶番６３により改装枠体１１の矩形枠内に開閉可能に固定されている。
本実施形態の改装開口部装置１０は、玄関等のドアである。従って改装戸体６２は戸体であり、改装戸体６２の構造、及び該改装戸体６２の改装枠体１１への蝶番６３による取付構造は公知の通りである。
【００１９】
改装枠体１１は、縦横枠が四方枠組みされることにより形成され、詳しくは長尺の改装縦枠２０、２０、及び長尺の改装横枠３０、４０を有し、これらが四方枠組みされている。以下各構成部材について説明する。
【００２０】
改装縦枠２０は、枠材の１つとして戸先側、及び吊元側のそれぞれの縦枠を形成する長尺の部材であり、図２に表れる断面を有している。図４には図２のうち、吊元側の改装縦枠２０の部位を拡大した図を示した。改装縦枠２０は、室外側部材２１、室内側部材２２、ブリッジ材２３、戸当たり２４、気密材２４ａ及び断熱材２５を有している。
改装縦枠２０は、室外側に配置される室外側部材２１、及び室内側に配置される室内側部材２２が、ブリッジ材２３により連結された、いわゆる断熱枠の構造を有している。
室外側部材２１、及び室内側部材２２は、アルミニウムによる形材であり、改装縦枠として適用することができる断面形状を有して構成されている。すなわち、断面形状は特に限定されることなく、改装縦枠として既存縦枠に重ねて配置することができ、縦枠として機能するような形状であればよい。
ブリッジ材２３も公知のものでよく、熱伝導率が小さい材料である樹脂やゴム等により形成されている。
【００２１】
戸当たり２４は、図２に表れる断面において、室外側部材２１又は室内側部材２２から見付方向の内側に向けて延びる部位であり、ここに改装戸体６２に接する気密材２４ａが備えられている。
【００２２】
断熱材２５は、断熱性を有する板状の部材であり、室外側部材２１及び室内側部材２２の見込面のうち、既存縦枠６側の見込面に対向する部位に配置されている。断熱材２５の厚さは特に限定されることはないが、２〜４ｍｍ程度であることが好ましい。また断熱材２５の見込方向の大きさは当該断熱材２５により室外側部材２１及び室内側部材２２が既存縦枠６に接触することなく熱の流通が抑制できればよい。従って、断熱材２５は必ずしも室外側部材２１及び室内側部材２２の見込面の全部に亘って配置されることはなく一部であってもよい。ただし、既存枠体５への改装枠体１１のより安定した取り付けの観点から断熱材２５は室外側部材２１及び室内側部材２２の見込面の全部に亘ることが好ましい。
さらに、断熱材２５の見込方向室内側は、図４にＩＶで示したように、室内側部材２２の見付面より見込方向室内側に突出していることが好ましい。これにより後述するように、室内側部材２２が既存枠体５の見付方向に延びる片等に接触することが防止され、断熱性を高めることができる。
断熱材２５の長手方向（図２、図４の紙面奥／手前方向）は改装縦枠２０の全長に亘って連続してもよいし、断続的であってもよい。
【００２３】
断熱材の材質は特に限定されることはないが、開口を狭くしない観点から薄くても断熱性が高いことが好ましく、これには例えば高衝撃性ポリスチレン等の発泡断熱材を挙げることができる。
【００２４】
改装横枠３０は、枠材の１つとして上横枠を形成する長尺の部材であり、図３に表れる断面を有している。改装縦枠３０は、室外側部材３１、室内側部材３２、ブリッジ材３３、戸当たり３４、気密材３４ａ及び断熱材３５を有している。改装横枠３０も縦枠と横枠との違いはあるものの改装縦枠２０と基本的構成は同様である。
【００２５】
改装横枠４０は、枠材の１つとして下横枠を形成する長尺の部材であり、図３に表れる断面を有している。本実施形態では改装横枠４０は断熱構造ではなく、通常公知の改装横枠である。
【００２６】
室外側装飾枠６０は、図２、図３に表れているように、既存枠体５の室外側露出部を室外視から隠蔽することができるように構成された部材である。従って、室外側装飾枠６０は既存枠体５に沿って配置される長尺の部材であり、その断面はコ字状とされており、コ字状の内側に既存枠体５の室外側露出部が内包される。
室外側装飾枠６０はこのように装飾を目的としているので、材質は特に限定されることなく、その目的に沿ったものを適用することができる。
【００２７】
室内側装飾枠６１は、図２、図３に表れているように、既存枠体５の室内側露出部を室内視から隠蔽することができるように構成された部材である。従って、室内側装飾枠６１は既存枠体５に沿って配置される長尺の部材であり、既存枠体５の室内側露出部を覆うように配置される。
室内側装飾枠６１はこのように装飾を目的としているので、材質は特に限定されることなく、その目的に見合ったものを適用することができる。
【００２８】
以上のような構造を有する改装開口部装置１０は、次のように既存枠体５に取り付けられている。
図２、図３からわかるように、既存の開口部には、開口部の縁に沿って柱や梁等の躯体１が設けられ、その室外側には外壁２、室内側には内壁３がそれぞれ設置されている。また開口部の内周面のうち室内側には内周壁４が設けられている。
本実施形態で既存枠体５は、その一端が内周壁４に接し、ここから開口部の内周面のうちの室外側を覆うとともに、さらに連続して室外側面に沿って配置され、その他端は外壁２に接するように設置されている。既存枠体５も既存縦枠６、６及び既存横枠７、８が四方枠組みされており、不図示の固定部材により躯体１に固定されている。
また、既存縦枠６には改装前の戸体のための戸当たり６ａ、及び既存横枠７には改装前の戸体のための戸当たり７ａがそれぞれ見込面から見付方向に突出している。
【００２９】
このような既存の開口部及び既存枠体５に対し、改装縦枠２０は、図２からわかるように既存縦枠６の見込み面のうち、戸当たり６ａより室外側の部分に重ねられるように不図示の固定部材で固定される。このとき、断熱材２５の見込面が既存縦枠６の見込面に接するとともに、断熱材２５の端部で室内側部材２２の見付面より室内側に突出した端部が既存縦枠６の戸当たり６ａに接触するように取り付けられる。
一方、改装横枠３０は、図３からわかるように既存横枠７の見込み面のうち、戸当たり７ａより室外側の部分に重ねられるように不図示の固定部材で固定される。このとき、断熱材３５の見込面が既存横枠７の見込面に接するとともに、断熱材３５の端部で室内側部材３２の見付面より室内側に突出した端部が既存縦枠７の戸当たり７ａに接触するように取り付けられる。
改装横枠４０は、図３からわかるように既存横枠８の見込み面のうち、戸当たり８ａより室外側の部分に重ねられるように不図示の固定部材で固定される。
【００３０】
室外側装飾枠６０は、図２、図３からわかるように、コ字状である内側に既存枠体５を内包するように室外側に配置され、コ字状の一端が外壁２に固定され、他端は改装枠体１１に不図示の固定部材に固定される。
室内側装飾枠６１は、図２、図３からわかるように、既存枠体５のうち室内側に露出する部分を覆うように配置されている。室内側装飾枠６１の一端が改装枠体１１の室内側見付面に固定され、他端が内周壁４に固定される。
改装戸体６２は上記したように蝶番６３により改装枠体１１に開閉可能に取り付けられる。
【００３１】
以上のような改装枠１１によれば、枠自体がブリッジ材２３、３３を用いた断熱構造となっているので、断熱性向上のための改装枠として機能する。さらに改装枠１１は既存枠体５との間に断熱材２５、３５を介する構造であり、既存枠体５と改装枠体１１との間の熱の移動が抑制される。これにより断熱性を向上させる改装枠としての性能を高めることができる。ここで、断熱材２５の一端を室内側部材２２、３２の室内側見付面より室内側に突出させることにより、既存枠体５において見付方向に延びる片６ａ、７ａとの断熱も図ることができ、さらなる断熱性向上が図られている。
【００３２】
また、室外側装飾枠６０、室内側装飾枠６１により既存枠体５を隠ぺいすることにより外観の向上に加え断熱性の向上も可能となる。
【００３３】
そして、以上のような改装枠体１１を具備する改装開口部装置１０によれば上記効果を奏する断熱性の高い開口部装置とすることができる。本実施形態では改装開口部装置１０としてドアを対象としたため、改装枠体１１と改装戸体６２との組み合わせであったが、本発明はこれに限定されることはない。例えば窓等の開口部装置にも本発明の改装枠体を用いることができる。その際には改装開口部装置は、改装枠体と改装障子を備えるものとなる。
【００３４】
また、以上説明した改装枠体１１では２つの改装縦枠２０、２０及び改装横枠３０を備えるものとしたが、改装縦枠２０に採用した構造をいずれか１つの縦枠又は横枠に用いてもよい。また、この構造を下横枠に用いることもできる。
【符号の説明】
【００３５】
１０  改装開口部装置
１１  改装枠体
２０  改装縦枠
２１  室外側部材
２２  室内側部材
２３  ブリッジ材
２５  断熱材
３０  改装横枠
【図１】
2014055481.tif 000003
【図２】
2014055481.tif 000004
【図３】
2014055481.tif 000005
【図４】
2014055481.tif 000006